(57)【要約】      （修正有）【課題】インナチューブの底部側の下ばね受けとピストン支持部材側の上ばね受けとの間に懸架スプリングを介装する油圧緩衝器において、ばね受けが懸架スプリングに与える回転摩擦を低減しながら、組付性も向上すること。【解決手段】車体側のアウタチューブ１１内に車軸側のインナチューブ１２を摺動自在に挿入し、ピストンロッド２３の先端部に作動油室２１内を摺動するピストン２６を設け、前記インナチューブの作動油室内で、ピストンロッド側の上ばね受け３１と該インナチューブの底部側の下ばね受け３２との間に懸架スプリング３３を介装した油圧緩衝器において、前記ピストンロッドの先端部であって、ピストンよりも懸架スプリング寄りの先端部に、上ばね受けを回転自在かつ脱落不能に取着したもの。【選択図】図３
2008032097.tif 000002
【特許請求の範囲】
【請求項１】
車体側のアウタチューブ内に車軸側のインナチューブを摺動自在に挿入し、
前記インナチューブの内周に隔壁部材を設け、該隔壁部材の下部に作動油室を、上部に油溜室を区画し、
前記アウタチューブ側に取付けたピストン支持部材を、前記隔壁部材を貫通して前記作動油室内に挿入し、該ピストン支持部材の先端部に前記作動油室内を摺動するピストンを設け、
前記インナチューブの作動油室内で、ピストン支持部材側の上ばね受けと該インナチューブの底部側の下ばね受けとの間に懸架スプリングを介装した油圧緩衝器において、
前記ピストン支持部材の先端部であって、ピストンよりも懸架スプリング寄りの先端部に、上ばね受けを回転自在かつ脱落不能に取着したことを特徴とする油圧緩衝器。
【請求項２】
前記ピストン支持部材の先端部にピストン、バルブ及びバルブストッパを固定するピストンナットを設け、
ピストンナットの外周膨出部に対するバルブストッパ側に上ばね受けを回転自在に設け、
上ばね受けはピストンナットの外周膨出部に抜け止めされるとともに、バルブストッパとの間にベアリング部材を介装してなる請求項１に記載の油圧緩衝器。
【請求項３】
前記ピストンナットが工具係合部と、該工具係合部の側傍で該工具係合部より小径の小径部とを有し、工具係合部を外周膨出部とし、小径部に上ばね受けとベアリング部材を装填してなる請求項２に記載の油圧緩衝器。
【発明の詳細な説明】
【技術分野】
【０００１】
本発明は車両用の油圧緩衝器に関する。
【背景技術】
【０００２】
車両用の油圧緩衝器として、特許文献１に記載の如く、車体側のアウタチューブ内に車軸側のインナチューブを摺動自在に挿入し、前記インナチューブの内周に隔壁部材を設け、該隔壁部材の下部に作動油室を、上部に油溜室を区画し、前記アウタチューブ側に取付けたピストンロッドを、前記隔壁部材を貫通して前記作動油室内に挿入し、該ピストンロッドの先端部に前記作動油室内を摺動するピストンを設け、前記インナチューブの作動油室内で、ピストンロッド側の上ばね受けと該インナチューブの底部側の下ばね受けとの間に懸架スプリングを介装したものがある。
【０００３】
特許文献１の油圧緩衝器では、懸架スプリングが上下のばね受けの間でねじりを伴いながら伸縮をくり返すとき、懸架スプリングは上下のばね受けから回転摩擦抵抗力を受け、懸架スプリングの伸縮を円滑に行ない難い。
【０００４】
尚、特許文献２には、車体側のインナチューブを車軸側のアウタチューブに摺動自在に挿入する油圧緩衝器において、インナチューブのキャップに支持したカラー側の上ばね受けと、アウタチューブの底部に立設した中空パイプ側の下ばね受けとの間に懸架スプリングを介装するに際し、上ばね受けとカラーの間に回転摩擦抵抗力低減手段を設けるものが開示されている。
【特許文献１】特公昭63-23957
【特許文献２】特開2003-97627
【発明の開示】
【発明が解決しようとする課題】
【０００５】
特許文献１の油圧緩衝器に、特許文献２の回転摩擦抵抗力低減手段を採用しようとするときには、インナチューブの底部側の下ばね受けとピストンロッド側の上ばね受けとの間に懸架スプリングを介装するものであるから、組付手順が、インナチューブの上端から下ばね受け、懸架スプリングを挿入した後、インナチューブの上端から上ばね受け、摩擦抵抗力低減手段を懸架スプリングの上に落とし込み、更にピストンロッド及びピストンを摩擦抵抗力低減手段の上に組込むことになる。上ばね受け、摩擦抵抗力低減手段を懸架スプリングの上に、正しい組込み順序、姿勢で正しく着座させることに困難がある。
【０００６】
本発明の課題は、インナチューブの底部側の下ばね受けとピストン支持部材側の上ばね受けとの間に懸架スプリングを介装する油圧緩衝器において、ばね受けが懸架スプリングに与える回転摩擦を低減しながら、組付性も向上することにある。
【課題を解決するための手段】
【０００７】
請求項１の発明は、車体側のアウタチューブ内に車軸側のインナチューブを摺動自在に挿入し、前記インナチューブの内周に隔壁部材を設け、該隔壁部材の下部に作動油室を、上部に油溜室を区画し、前記アウタチューブ側に取付けたピストン支持部材を、前記隔壁部材を貫通して前記作動油室内に挿入し、該ピストン支持部材の先端部に前記作動油室内を摺動するピストンを設け、前記インナチューブの作動油室内で、ピストン支持部材側の上ばね受けと該インナチューブの底部側の下ばね受けとの間に懸架スプリングを介装した油圧緩衝器において、前記ピストン支持部材の先端部であって、ピストンよりも懸架スプリング寄りの先端部に、上ばね受けを回転自在かつ脱落不能に取着したものである。
【０００８】
請求項２の発明は、請求項１の発明において更に、前記ピストン支持部材の先端部にピストン、バルブ及びバルブストッパを固定するピストンナットを設け、ピストンナットの外周膨出部に対するバルブストッパ側に上ばね受けを回転自在に設け、上ばね受けはピストンナットの外周膨出部に抜け止めされるとともに、バルブストッパとの間にベアリング部材を介装してなるものである。
【０００９】
請求項３の発明は、請求項２の発明において更に、前記ピストンナットが工具係合部と、該工具係合部の側傍で該工具係合部より小径の小径部とを有し、工具係合部を外周膨出部とし、小径部に上ばね受けとベアリング部材を装填してなるものである。
【発明の効果】
【００１０】
（請求項１）
(a)インナチューブの底部側の下ばね受けとピストン支持部材側の上ばね受けとの間に懸架スプリングを介装するに際し、上ばね受けはピストン支持部材の先端部に回転自在に取着されたから、懸架スプリングの伸縮に伴なうねじれを上ばね受けの回転によって吸収できる。従って、上下のばね受けが懸架スプリングに与える回転摩擦を低減でき、懸架スプリングの伸縮を円滑にし、フロントフォークの作動性を向上できる。
【００１１】
(b)フロントフォークの組付手順は、インナチューブの上端から下ばね受け、懸架スプリングを挿入した後、予め上ばね受けを回転自在かつ脱落不能に取着済のピストン支持部材を下向きにしてインナチューブの上端から挿入し、上ばね受けを懸架スプリングの上に着座させることになる。上ばね受けは落ちることなく、正しい組込み順序、姿勢で懸架スプリングの上に正しく着座できる。
【００１２】
（請求項２）
(c)上ばね受けは、ピストンナットの外周膨出部に抜け止めされるとともに、バルブストッパとの間にベアリング部材を介装し、ピストン支持部材の先端部に回転自在かつ脱落不能に取着される。
【００１３】
ピストン支持部材の先端部に予め上ばね受けとベアリング部材を回転自在かつ脱落不能に取着できる。
【００１４】
（請求項３）
(d)ピストンナットが、工具係合部を外周膨出部とし、工具係合部の側傍の小径部に上ばね受けとベアリング部材を装填した。従って、ピストン支持部材の先端部にピストンナットを締付けたとき、ピストンナットの工具係合部とバルブストッパの間に上ばね受けとベアリング部材を僅かな隙間をもたせて回転自在かつ脱落不能に取着できる。
【発明を実施するための最良の形態】
【００１５】
図１は油圧緩衝器の全体を示す断面図、図２はばね荷重調整装置を示す断面図、図３は減衰力調整装置の下部構造を示す断面図、図４は減衰力調整装置の上部構造を示す断面図、図５は上ばね受け取着構造を示す断面図、図６は上ばね受けを示し、（Ａ）は平面図、(Ｂ)は(Ａ)のＢ−Ｂ線に沿う断面図、図７はベアリング部材を示す断面図、図８はベアリングレースを示す断面図である。
【実施例】
【００１６】
フロントフォーク（油圧緩衝器）１０は、アウタチューブ１１を車体側に、インナチューブ１２を車輪側に配置する倒立型フロントフォークであり、図１〜図４に示す如く、アウタチューブ１１の下端開口部の内周に固定したガイドブッシュ１１Ａと、インナチューブ１２の上端開口部の外周に固定したガイドブッシュ１２Ａを介して、アウタチューブ１１の内部にインナチューブ１２を摺動自在に挿入する。１１Ｂはオイルシール、１１Ｃはダストシールである。アウタチューブ１１の上端開口部にはキャップ１３が液密に螺着され、アウタチューブ１１の外周には車体側取付部材１４Ａ、１４Ｂが設けられる。インナチューブ１２の下端開口部には車軸ブラケット１５が液密に挿着されて螺着されてインナチューブ１２の底部を構成し、車軸ブラケット１５には車軸取付孔１６が設けられる。
【００１７】
フロントフォーク１０は、アウタチューブ１１の内周と、インナチューブ１２の外周と、前記２つのガイドブッシュ１１Ａ、１２Ａにて区画される環状油室１７を区画する。
【００１８】
フロントフォーク１０は、インナチューブ１２の上端側内周にＯリングを介する等により液密に、隔壁部材１９を設け、隔壁部材１９のロッドガイド部１９Ａより下部に作動油室２１を区画するとともに、上部に油溜室２２を区画する。油溜室２２の中でその下側領域は油室２２Ａ、上側領域は空気室２２Ｂである。
【００１９】
フロントフォーク１０は、アウタチューブ１１に取付けたピストンロッド２３を隔壁部材１９のロッドガイド部１９Ａに摺動自在に挿入する。具体的には、キャップ１３の中心部の下端部に螺着した取付カラー２４に中空ピストンロッド２３を螺着し、これをロックナット２４Ａで固定する。
【００２０】
フロントフォーク１０は、隔壁部材１９のロッドガイド部１９Ａからインナチューブ１２に挿入したピストンロッド２３の先端部に螺着したピストンボルト２５に、インナチューブ１２の内周に摺接するピストン２６を固定し、前記油室２１をピストンロッド２３が収容されるピストンロッド側油室２１Ａと、ピストンロッド２３が収容されないピストン側油室２１Ｂに区画する。ピストン２６はピストンナット２７により固定される。
【００２１】
フロントフォーク１０は、前記環状油室１７を、インナチューブ１２に設けた油孔２８を介して、ピストンロッド側油室２１Ａに常時連通する。
【００２２】
フロントフォーク１０は、ピストン２６のピストン側油室２１Ｂに臨む下端面の側に上ばね受け３１を後述する如くに取着し、車軸ブラケット１５が形成するインナチューブ１２の底部に下ばね受け３２を配置し、上ばね受け３１と下ばね受け３２の間に懸架スプリング３３を介装している。フロントフォーク１０は、車両走行時に路面から受ける衝撃力を懸架スプリング３３の伸縮振動により吸収する。このとき、後述するばね荷重調整装置１００が下ばね受け３２を昇降し、懸架スプリング３３のばね荷重を調整可能にする。
【００２３】
フロントフォーク１０は、ピストン２６に減衰力発生装置４０を備える（図３、図４）。
減衰力発生装置４０は、圧側流路４１と伸側流路４２（不図示）を備える。圧側流路４１は、バルブストッパ４１Ｂにバックアップされる圧側ディスクバルブ４１Ａ（圧側減衰バルブ）により開閉される。伸側流路４２は、バルブストッパ４２Ｂにバックアップされる伸側ディスクバルブ４２Ａ（伸側減衰バルブ）により開閉される。尚、バルブストッパ４１Ｂ、バルブ４１Ａ、ピストン２６、バルブ４２Ａ、バルブストッパ４２Ｂは、ピストンボルト２５に挿着されるバルブ組立体を構成し、ピストンボルト２５に螺着されるピストンナット２７に挟まれて固定される。
【００２４】
減衰力発生装置４０は、キャップ１３の中心部に後に詳述する減衰力調整装置４０Ａを設け、減衰力調整装置４０Ａのニードル弁８５をピストンロッド２３の中空部に挿入し、ピストンロッド２３に設けたバイパス路４５の開度をニードル弁８５の上下動により調整する。バイパス路４５は、ピストン２６をバイパスし、ピストンロッド側油室２１Ａとピストン側油室２１Ｂを連絡する。
【００２５】
減衰力発生装置４０は、圧側行程では、低速域で、ニードル弁８５により開度調整されたバイパス路４５の通路抵抗により圧側減衰力を発生し、中高速域で、圧側ディスクバルブ４１Ａの撓み変形により圧側減衰力を発生する。また、伸側行程では、低速域で、ニードル弁８５により開度調整されたバイパス路４５の通路抵抗により伸側減衰力を発生し、中高速域で、伸側ディスクバルブ４２Ａの撓み変形により伸側減衰力を発生する。この圧側減衰力と伸側減衰力により、前述した懸架スプリング３３の伸縮振動を制振する。
【００２６】
フロントフォーク１０は、キャップ１３の下端面に、インナチューブ１２に設けた隔壁部材１９の上端部が最圧縮ストロークで衝合するストッパラバー１３Ａ、ストッパ板１３Ｂを固着しており、このストッパラバー１３Ａによって最圧縮ストロークを規制する。
【００２７】
フロントフォーク１０は、インナチューブ１２の上端側の隔壁部材１９のピストンロッド側油室２１Ａに臨む下端面に螺着固定したスプリングシート５１と、ピストンロッド２３に設けたストッパリング５２Ａに係止させたスプリングシート５２との間にリバウンドスプリング５３を介装してある。フロントフォーク１０の最伸長時に、隔壁部材１９がリバウンドスプリング５３をスプリングシート５２との間で加圧することにより、最伸長ストロークを規制する。
【００２８】
しかるに、フロントフォーク１０にあっては、アウタチューブ１１とインナチューブ１２の環状隙間からなる前記環状油室１７の断面積Ｓ1を、ピストンロッド２３の断面積（外径に囲まれる面積）Ｓ2より大きく形成している（Ｓ1＞Ｓ2、但しＳ1≧Ｓ2でも可）。
【００２９】
また、隔壁部材１９のロッドガイド部１９Ａ及びスプリングシート５１に、圧側行程では油溜室２２からピストンロッド側油室２１Ａへの油の流れを許容し、伸側行程ではピストンロッド側油室２１Ａから油溜室２２への油の流れを阻止するチェック弁６０を設けている。隔壁部材１９のロッドガイド部１９Ａとスプリングシート５１の内周にはバルブ室６１が設けられ、バルブ室６１の上端側の段差部６１Ａと、バルブ室６１の下端側に設けられた前述のスプリングシート５１上のバックアップスプリング６２との間にチェック弁６０が収容される。チェック弁６０は、段差部６１Ａとスプリングシート５１の間隔より短尺とされ、下端面に横溝を形成される。チェック弁６０は、スプリングシート５１に設けたバルブ室６１の内周に摺接して上下変位可能に設けられる。チェック弁６０の外周は、バルブ室６１の内周との間、スプリングシート５１に設けた連絡路５１Ａに、油溜室２２からピストンロッド側油室２１Ａへの油の流れを許容する流路を形成する。チェック弁６０は、ピストンロッド２３を摺動自在に支持するブッシュ６３（不図示）をその内周に圧入されて備える。圧側行程では、チェック弁６０はインナチューブ１２に進入するピストンロッド２３に連れ移動して下方に移動し、スプリングシート５１に衝合するとともに、段差部６１Ａとの間に隙間を形成し、油溜室２２の油を横溝からその外周経由で段差部６１Ａとの隙間、連絡路５１Ａを通ってピストンロッド側油室２１Ａへ流入可能とする。伸側行程では、チェック弁６０はインナチューブ１２から退出するピストンロッド２３に連れ移動して上方に移動し、段差部６１Ａに衝合して該段差部６１Ａとの間の隙間を閉じ、ピストンロッド側油室２１Ａの油が上述した圧側行程の逆経路で油溜室２２へ排出されることを阻止する。
【００３０】
また、隔壁部材１９のロッドガイド部１９Ａはピストンロッド２３の周囲にオイルシールを封着していないから、チェック弁６０の内周に圧入してあるブッシュ６３がピストンロッド２３の周囲に形成する微小間隙（又はチェック弁６０が段差部６１Ａとの間に形成する微小間隙）により、ピストンロッド側油室２１Ａと油溜室２２を連通する微小流路（オリフィス）６４（不図示）を構成する。微小流路６４は、隔壁部材１９のロッドガイド部１９Ａに穿設され、ピストンロッド側油室２１Ａと油溜室２２を連通するオリフィス手段６４Ａにより構成されるものでも良い。
【００３１】
フロントフォーク１０の動作は以下の如くになる。
（圧側行程）
圧側行程でインナチューブ１２に進入するピストンロッド２３の進入容積分の作動油がインナチューブ１２の内周の油室２１Ａからインナチューブ１２の油孔２８を介して環状油室１７に移送される。このとき、環状油室１７の容積増加分ΔＳ1（補給量）がピストンロッド２３の容積増加分ΔＳ2より大きいから、環状油室１７への油の必要補給量のうち、（ΔＳ1−ΔＳ2）の不足分が油溜室２２からチェック弁６０を介して補給される。
【００３２】
この圧側行程では、前述した通り、低速域で、ニードル弁８５により開度調整されたバイパス路４５の通路抵抗により圧側減衰力を発生し、中高速域で、圧側ディスクバルブ４１Ａの撓み変形により圧側減衰力を発生する。
【００３３】
（伸側行程）
伸側行程でインナチューブ１２から退出するピストンロッド２３の退出容積分の作動油が環状油室１７からインナチューブ１２の油孔２８を介してインナチューブ１２の内周の油室２１Ａに移送される。このとき、環状油室１７の容積減少分ΔＳ1（排出量）がピストンロッド２３の容積減少分ΔＳ2より大きいから、環状油室１７からの油の排出量のうち、（ΔＳ1−ΔＳ2）の余剰分が微小流路６４を介して油溜室２２へ排出される。
【００３４】
この伸側行程では、前述した通り、低速域で、ニードル弁８５により開度調整されたバイパス路４５の通路抵抗により伸側減衰力を発生し、中高速域で、伸側ディスクバルブ４２Ａの撓み変形により伸側減衰力を発生する。また、上述の微小流路６４の通路抵抗による伸側減衰力も発生する。
【００３５】
以下、減衰力調整装置４０Ａについて説明する。
減衰力調整装置４０Ａは、図３、図４に示す如く、ピストンロッド２３の中空部に回転方向及び軸方向に移動自在な非円形断面、本実施例ではＤ形断面の唯１本のプッシュロッド７０を設け、プッシュロッド７０を回転方向に移動させる第１調整部８０と、プッシュロッド７０を軸方向に移動させる第２調整部９０を、フロントフォーク１０の上部、かつプッシュロッド７０の延長上に同軸配置する。そして、減衰力調整装置４０Ａは、プッシュロッド７０の非円形断面内に摺動自在に係入するニードル弁８５をピストンロッド２３の中空部に螺合し、第１調整部８０の回転によりニードル弁８５を螺動させ、このニードル弁８５によりバイパス路４５の開度を調整し、ひいてはバイパス路４５の通路抵抗による減衰力を調整可能にする。また、減衰力調整装置４０Ａは、プッシュロッド７０と軸方向に衝合するスプリング９５により、圧側ディスクバルブ４１Ａを閉じ方向にて該圧側ディスクバルブ４１Ａを付勢し、圧側ディスクバルブ４１Ａの撓み変形による圧側減衰力を調整可能にする。以下、第１調整部８０と第２調整部９０の構造、ニードル弁８５を用いた減衰力調整構造、スプリング９５を用いた減衰力調整構造について説明する。
【００３６】
（第１調整部８０と第２調整部９０の構造）（図３、図４）
キャップ組立体を構成するキャップ１３がＯリング１３Ｃを介してアウタチューブ１１の上端開口部に液密に螺着される。キャップ１３の下端開口側には取付カラー２４が螺着され、この取付カラー２４にピストンロッド２３の上端部が螺着されてロックナット２４Ａで固定される。
【００３７】
第１調整部８０は、キャップ１３の中心孔の下端開口側からＯリング８１を介して液密に挿着され、キャップ１３の中間段差部に軸方向で係合して上方へ抜け止めされるとともに、キャップ１３の下端開口側に螺着される取付カラー２４の上端面に軸方向で衝合して下方へ抜け止めされ、結果として上端外周の操作ノブ８０Ａを用いてキャップ１３に回転自在に設けられる。第１調整部８０の取付カラー２４に衝接する下端面は横溝を備え、この横溝に係合片８３の両側突起を回転方向にて概ね遊びなく係合する。プッシュロッド７０の非円形断面（Ｄ形断面）の外周を、係合片８３の中心に設けた非円形孔（Ｄ形孔）に貫通し、回転方向には概ね遊びなく係合し、かつ軸方向には摺動自在にする。これにより、第１調整部８０は、プッシュロッド７０を回転方向に移動させることができる。８０Ｂは操作ノブ８０Ａに対するディテント機構である。
【００３８】
第２調整部９０は、第１調整部８０の中心孔の下端開口側からＯリング９１を介して液密に挿着され、第１調整部８０の中間段差部に軸方向で係合して上方へ抜け止めされる。第２調整部９０の下端部には、押動子９１Ａが回転方向に係合、軸方向にスライド自在に係合される。押動子９１Ａの下端面は、第１調整部８０の側に係合している係合片８３の非円形孔を貫通しているプッシュロッド７０の上端面と軸方向に隙間なく衝合する。尚、プッシュロッド７０は、後述するスプリング９５のばね力により上向きに付勢され、その上端面を常に第２調整部９０の押動子９１Ａの下端面に衝合する。第２調整部９０は、上端面の操作ノブ９０Ａを用いて第１調整部８０に対し螺動され、プッシュロッド７０を軸方向に移動させることができる。９０Ｂは操作ノブ９０Ａに対するディテント機構である。
【００３９】
（ニードル弁８５を用いた減衰力調整構造）（図３）
ピストンロッド２３の中空部の下端部にはインナベース８４が挿着され、ピストンロッド２３の下端面とピストンボルト２５の内径段差部とがインナベース８４の下端フランジを挟圧固定している。インナベース８４はピストンロッド２３の中空部に圧入されても良い。このようにしてピストンロッド２３に固定されたインナベース８４の内周にニードル弁８５が液密に挿入され、ニードル弁８５の中間部のねじ部がピストンボルト２５の内周に螺着される。ニードル弁８５の上端部の非円形断面、本実施例ではＤ形断面をなす非円形断面部が、ピストンロッド２３の中空部に挿入されているプッシュロッド７０の下端部の非円形断面内に概ね遊びなく、軸方向には摺動自在に、回転方向には係合するように係入する。
【００４０】
第１調整部８０が、前述の如く、プッシュロッド７０を回転方向に移動させると、プッシュロッド７０と回転方向に係合しているニードル弁８５がピストンボルト２５に対して螺動し、ピストンボルト２５に設けてあるバイパス路４５の縦孔上端部の弁シートに対して進退し、バイパス路４５の開度を調整し、ひいてはバイパス路４５の通路抵抗による圧側と伸側の減衰力を調整可能にする。
【００４１】
尚、第１調整部８０がプッシュロッド７０を介してニードル弁８５を螺動させるとき、ニードル弁８５は後述するスプリング９５のための押動片９２の中心孔に対して空動し、スプリング９５に対して影響しない。
【００４２】
（スプリング９５を用いた減衰力調整構造）（図３）
ピストンロッド２３の下端側の直径方向の両側には、軸方向に延びる長孔状のガイド孔２３Ａが設けられ、押動片９２の両側突起がそれらのガイド孔２３Ａに概ね遊びなく軸方向にスライド可能に係入されている。ピストンロッド２３の中空部に挿入されているプッシュロッド７０の下端面が押動片９２の上面に直に衝接し、プッシュロッド７０の下端部に前述の如く係入しているニードル弁８５の非円形断面部が押動片９２の中心に設けた円形孔に軸方向移動自在に遊挿される。
【００４３】
ピストンロッド２３の下端部（ピストンボルト２５）まわりには、押動片９２の両端突起に下方から衝合するばね受け９３と、圧側ディスクバルブ４１Ａの上面（背面）に衝合するバルブ押え９４が配置され、ばね受け９３とバルブ押え９４の間にバルブ押えスプリング９５が介装される。ばね受け９３はカップ状をなし、カップの内周下端にて押動片９２の両側突起と衝合し、カップの上端外周フランジにスプリング９５を着座させる。バルブ押え９４は、圧側ディスクバルブ４１Ａの上面の適宜の外径位置に全周連続的（間欠的でも可）に衝接する円環状押え部９４Ａと、ピストンボルト２５の上端外周にスライドガイドされるスライド部９４Ｂと、ピストンロッド側油室２１Ａを圧側流路４１、伸側流路４２、バイパス路４５に連通する油路９４Ｃを備え、外周段差部にスプリング９５を着座させる。
【００４４】
第２調整部９０が、前述の如く、プッシュロッド７０を軸方向に移動させると、プッシュロッド７０の下端面が衝接している押動片９２がばね受け９３を上下に移動してバルブ押えスプリング９５を伸縮し、スプリング９５のセット荷重を調整する。これにより、スプリング９５のセット荷重がバルブ押え９４を介して圧側ディスクバルブ４１Ａを閉じる方向に付勢し、圧側ディスクバルブ４１Ａの撓み変形による圧側減衰力を調整可能にする。バルブ押え９４は押え部９４Ａの径を異にするものに交換することができ、大径の押え部９４Ａを備えたバルブ押え９４は圧側ディスクバルブ４１Ａの外周側を押え、ピストン速度の低速域から減衰力を大きくする。小径の押え部９４Ａを備えたバルブ押え９４は圧側ディスクバルブ４１Ａの内周側を押え、ピストン速度が中〜高速域で減衰力を大きくする。
【００４５】
尚、第２調整部９０がプッシュロッド７０を介して押動片９２を移動するとき、プッシュロッド７０及び押動片９２はニードル弁８５に対して軸方向に空動し、ニードル弁８５に影響しない。
【００４６】
次に、下ばね受け３２を昇降し、懸架スプリング３３のばね荷重を調整するばね荷重調整装置１００について説明する。尚、下ばね受け３２は有天筒状をなし、下端部に底板３２Ａを突き当てられるとともに、インナチューブ１２の内周にＯリング３２Ｂを介して上下動可能に挿入されている。
【００４７】
ばね荷重調整装置１００は、図２に示す如く、インナチューブ１２の底部を構成する車軸ブラケット１５の車軸取付孔１６を外れる位置（車軸取付孔１６の側傍）で外部に臨むアジャストボルト１０１により下ばね受け３２の底板３２Ａを支持し、アジャストボルト１０１の螺動により下ばね受け３２を昇降させて懸架スプリング３３のばね荷重を調整する。
【００４８】
このとき、アジャストボルト１０１はインナチューブ１２の車軸取付孔１６を通る中心軸に対し斜交配置され、アジャストボルト１０１をインナチューブ１２の底部の内面に、外部へ抜け止めする状態で支持するとともに、アジャストボルト１０１の操作部１０１Ａを車軸ブラケット１５の操作用孔１５Ａから外部に臨ませる。そして、インナチューブ１２の内部に臨むアジャストボルト１０１のねじ部にアジャストナット１０２を螺合し、インナチューブ１２の内部に設けた回り止め手段１０３によりアジャストナット１０２を回り止めし、アジャストナット１０２の先端部に下ばね受け３２の底板３２Ａを衝合する。回り止め手段１０３はインナチューブ１２と車軸ブラケット１５の間に挟圧されるワッシャからなり、ワッシャに設けた回り止め用異形スリット１０３Ａにアジャストナット１０２の異形部を挿通させた。また、インナチューブ１２の底部における回り止め手段１０３の下部にはスライダ１０４が設けられ、スライダ１０４により、アジャストナット１０２の外面をスライドガイドするとともに、アジャストボルト１０１を外部から押し込み不能にする。１０５はアジャストボルト１０１に対するディテント機構である。
【００４９】
車軸ブラケット１５の操作用孔１５Ａに挿入される工具により操作部１０１Ａを介してアジャストボルト１０１を螺動すると、アジャストナット１０２が昇降し、このアジャストナット１０２に衝合している下ばね受け３２（底板３２Ａ）が昇降する。下ばね受け３２は、ピストンロッド２３側の上ばね受け３１との間で、懸架スプリング３３の初期長さを調整し、懸架スプリング３３のばね荷重を調整するものになる。
【００５０】
以下、懸架スプリング３３の伸縮時に、上下のばね受け３１、３２が懸架スプリング３３に与える回転摩擦を低減可能にする、上ばね受け取着構造１１０について説明する。
【００５１】
上ばね受け取着構造１１０は、図３、図５に示す如く、ピストン支持部材であるピストンロッド２３のピストンボルト２５の先端部であって、ピストン２６よりも懸架スプリング３３寄りのピストンボルト２５の先端部に、上ばね受け３１を回転自在かつ脱落不能に取着する。
【００５２】
具体的には、ピストンボルト２５の先端部に、前述の如く、ピストン２６、ディスクバルブ４１Ａ、４２Ａ、及びバルブストッパ４１Ｂ、４２Ｂを固定するピストンナット２７を設けるに際し、ピストンナット２７が工具係合部２７Ａと、工具係合部２７Ａの側傍にて段差状をなす工具係合部２７Ａより小径の小径部２７Ｂとを有するものとし、ピストンボルト２５に螺着したピストンナット２７の小径部２７Ｂの端面をバルブストッパ４２Ｂに衝合する。そして、ピストンナット２７の工具係合部２７Ａを外周膨出部１１１とし、小径部２７Ｂに上ばね受け３１とベアリング部材１２０及びその上下のベアリングレース１２１、１２２を装填する。
【００５３】
上ばね受け３１は、図６に示す如くの孔あきかご状をなし、かご底部の中心部にピストンナット２７の小径部２７Ｂに挿し込まれ、工具係合部２７Ａ（外周膨出部１１１）に係止でき、かつ下ベアリングレース１２２に衝接する取付座３１Ａを備え、かご開口部に円環状のばね受け座３１Ｂを備える。３１Ｃは流路である。
【００５４】
ベアリング部材１２０は、図７に示す如く、ピストンナット２７の小径部２７Ｂに差し込まれる孔あき円板状保持器１２０Ａの周方向に並設した多数の保持溝のそれぞれにローラ１２０Ｂを保持する。ベアリングレース１２１、１２２は、図８に示す如く、ピストンナット２７の小径部２７Ｂに差し込まれる孔あき円板状をなす。
【００５５】
これにより、上ばね受け取着構造１１０は、ピストンボルト２５にピストン２６、ディスクバルブ４１Ａ、４２Ａ、及びバルブストッパ４１Ｂ、４２Ｂを挿着して前述のバルブ組立体を構成するとき、ベアリング部材１２０、ベアリングレース１２１、１２２を小径部２７Ｂに装填済のピストンナット２７をピストンボルト２５に螺着して組付けられる。これにより、ピストンナット２７の外周膨出部１１１（工具係合部２７Ａ）に対するバルブストッパ４２Ｂ側にて段差状をなす小径部２７Ｂに上ばね受け３１を回転自在に設け、上ばね受け３１がピストンナット２７の外周膨出部１１１に抜け止めされるとともに、上ばね受け３１がバルブストッパ４２Ｂとの間にベアリング部材１２０、ベアリングレース１２１、１２２を介装するものになる。上ばね受け３１が下ばね受け３２との間に懸架スプリング３３を支持するとき、上ばね受け３１はピストンナット２７の外周膨出部１１１（工具係合部２７Ａ）の端面との間に僅かな隙間を介して、回転自在になる。
【００５６】
本実施例によれば以下の作用効果を奏する。
(a)インナチューブ１２の底部側の下ばね受け３２とピストンロッド２３側の上ばね受け３１との間に懸架スプリング３３を介装するに際し、上ばね受け３１はピストンロッド２３の先端部に回転自在に取着されたから、懸架スプリング３３の伸縮に伴なうねじれを上ばね受け３１の回転によって吸収できる。従って、上下のばね受け３１、３２が懸架スプリング３３に与える回転摩擦を低減でき、懸架スプリング３３の伸縮を円滑にし、フロントフォーク１０の作動性を向上できる。
【００５７】
(b)フロントフォーク１０の組付手順は、インナチューブ１２の上端から下ばね受け３２、懸架スプリング３３を挿入した後、予め上ばね受け３１を回転自在かつ脱落不能に取着済のピストンロッド２３を下向きにしてインナチューブ１２の上端から挿入し、上ばね受け３１を懸架スプリング３３の上に着座させることになる。上ばね受け３１は落ちることなく、正しい組込み順序、姿勢で懸架スプリング３３の上に正しく着座できる。
【００５８】
(c)上ばね受け３１は、ピストンナット２７の外周膨出部１１１に抜け止めされるとともに、バルブストッパ４２Ｂとの間にベアリング部材１２０を介装し、ピストンロッド２３の先端部に回転自在かつ脱落不能に取着される。
【００５９】
ピストンロッド２３の先端部に予め上ばね受け３１とベアリング部材１２０を回転自在かつ脱落不能に取着できる。
【００６０】
(d)ピストンナット２７が、工具係合部２７Ａを外周膨出部とし、工具係合部２７Ａの側傍の小径部２７Ｂに上ばね受け３１とベアリング部材を装填した。従って、ピストンロッド２３の先端部にピストンナット２７を締付けたとき、ピストンナット２７の工具係合部２７Ａとバルブストッパの間に上ばね受け３１とベアリング部材を僅かな隙間をもたせて回転自在かつ脱落不能に取着できる。
【００６１】
以上、本発明の実施例を図面により詳述したが、本発明の具体的な構成はこの実施例に限られるものではなく、本発明の要旨を逸脱しない範囲の設計の変更等があっても本発明に含まれる。例えば、本発明の上ばね受けは、ピストン支持部材の先端部に取着されるものであれば良く、ピストンナットに取着されるものでなくても良い。また、本発明のベアリング部材は、テフロン（登録商標）等が被覆されたすべり軸受等を用いるものでも良い。
【図面の簡単な説明】
【００６２】
【図１】図１は油圧緩衝器の全体を示す断面図である。
【図２】図２はばね荷重調整装置を示す断面図である。
【図３】図３は減衰力調整装置の下部構造を示す断面図である。
【図４】図４は減衰力調整装置の上部構造を示す断面図である。
【図５】図５は上ばね受け取着構造を示す断面図である。
【図６】図６は上ばね受けを示し、（Ａ）は平面図、(Ｂ)は(Ａ)のＢ−Ｂ線に沿う断面図である。
【図７】図７はベアリング部材を示す断面図である。
【図８】図８はベアリングレースを示す断面図である。
【符号の説明】
【００６３】
１０  フロントフォーク（油圧緩衝器）
１１  アウタチューブ
１２  インナチューブ
１５  車軸ブラケット
１５Ａ  取付孔
１６  車軸取付孔
１９  隔壁部材 
２１  作動油室
２２  油溜室
２３  ピストンロッド（ピストン支持部材）
２６  ピストン
２７  ピストンナット
２７Ａ  工具係合部
２７Ｂ  小径部
３１  上ばね受け
３２  下ばね受け
３３  懸架スプリング
４１Ａ、４２Ａ  バルブ
４１Ｂ、４２Ｂ  バルブストッパ
１１０  上ばね受け取着構造
１１１  外周膨出部
１２０  ベアリング部材
【図１】
2008032097.tif 000003
【図２】
2008032097.tif 000004
【図３】
2008032097.tif 000005
【図４】
2008032097.tif 000006
【図５】
2008032097.tif 000007
【図６】
2008032097.tif 000008
【図７】
2008032097.tif 000009
【図８】
2008032097.tif 000010